(57)【要約】【課題】電子機器に組み込んだ際の外部への電磁波の影響を低減でき、その電子機器の厚さ寸法を含む形状寸法を小さくし、また、電子機器の組立性を向上させることができる。【解決手段】可撓性シート状の電磁波吸収体１と、板ばね、例えば可動接点６を保持する可撓性絶縁シート２とを粘着層３ａを介して積層し一体化するとともに、電磁波吸収体１の上に、ＬＥＤ７による光を拡散して操作部を照光する可撓性の光拡散性シート３を積層し、可撓性絶縁シート２の下に接点収容部４ｄを有するスペーサシート４を積層し、このスペーサシート４に粘着層４ａを介して剥離可能な剥離シート５とを接着した構成にしてある。【選択図】図２
2007134082.tif 000002
【特許請求の範囲】
【請求項１】
可撓性シート状の電磁波吸収体と、板ばねを保持する可撓性絶縁シートとを粘着層を介して積層し一体化したことを特徴とする板ばね付きシート。
【請求項２】
上記請求項１記載の発明において、
上記板ばねに対向する上記電磁波吸収体の部分に凹部を設けたことを特徴とする板ばね付きシート。
【請求項３】
上記請求項１記載の発明において、
上記電磁波吸収体の上に、可撓性の光拡散性シートを積層して一体化するとともに、上記電磁波吸収体を含む全てのシートに照光部材の収容を可能にする収容部を設けたことを特徴とする板ばね付きシート。
【請求項４】
上記請求項３記載の発明において、
上記板ばねに対向する上記光拡散性シートの部分、及び上記電磁波吸収体の部分のそれぞれに凹部を設けたことを特徴とする板ばね付きシート。
【請求項５】
上記請求項１記載の発明において、
上記可撓性絶縁シートに粘着層を設けるとともに、この粘着層に、上記可撓性絶縁シートからの剥離が可能な剥離シートを接着したことを特徴とする板ばね付きシート。
【請求項６】
上記請求項１記載の発明において、
上記可撓性絶縁シートに、上記板ばねが収容される板ばね収容部を有するスペーサシートを積層して一体化したことを特徴とする板ばね付きシート。
【請求項７】
上記請求項６記載の発明において、
上記スペーサシートに粘着層を設けるとともに、この粘着層に上記スペーサシートからの剥離が可能な剥離シートを接着したことを特徴とする板ばね付きシート。
【請求項８】
上記請求項１〜７のいずれか１項記載の発明において、
電子機器に取り付けるための位置決め部材が挿通可能な取付孔を設けたことを特徴とする板ばね付きシート。
【請求項９】
スイッチ基板に、上記請求項１〜８のいずれか１項記載の板ばね付きシートを積層し、上記スイッチ基板に形成されるスイッチ部に上記板ばね付きシートの上記板ばねを配置させるようにして、これらのスイッチ基板と板ばね付きシートとを一体化したことを特徴とする入力装置。
【発明の詳細な説明】
【技術分野】
【０００１】
本発明は、板ばねを保持する可撓性絶縁シートを含む複数のシートを積層して成る板ばね付きシート、及びこの板ばね付きシートが備えられた入力装置に関する。
【背景技術】
【０００２】
この種の従来技術として、特許文献１に示されるものがある。この特許文献１に示される板ばね付きシートは、金属製のドーム状の板ばね、すなわち可動接点を保持する接点付きシートである。この接点付きシートは、下面に接着剤が塗布され、上述の可動接点を保持する絶縁フィルム製のシートと、このシートの下面に接着され、上述の可動接点が収容される複数の収納孔、すなわち接点収容部を有するシートとを積層した構成になっている。また、シートに設けられる上述の接点収容部に連結される連結溝も、すなわち空気移動を可能にさせる空気溝も備えた構成になっている。
【０００３】
また、上述した接点付きシートが備えられる従来技術におけるシートスイッチ、すなわち入力装置は、固定接点を有する回路基板を備え、この回路基板上に接点付きシートが、その可動接点が回路基板の固定接点に対向するように配置されて積層され、一体化された構成となっている。
【０００４】
上述した接点付きシートを含む入力装置が備えられる電子機器として、例えば特許文献２に示されるような携帯電話がある。この特許文献２に示される従来技術では、軟磁性体粉末と有機結合剤とを含む複合磁性体から成る剛性を有する電磁波防護装置、すなわち携帯電話から外部への電磁波の影響を低減させる電磁波吸収体を備えた構成になっている。剛性を有する電磁波吸収体は、入力装置とは独立して設けられ、筐体内に配置されている。
【特許文献１】特開２００１−１４９７３公報
【特許文献２】特開２００２−２７１４６８公報
【発明の開示】
【発明が解決しようとする課題】
【０００５】
上述した特許文献２に示される電磁波吸収体と、特許文献１に示される接点付きシート、すなわち板ばね付きシートを含む入力装置とを備えた携帯電話等の電子機器の製作を考えた場合、剛性を有する電磁波吸収体は入力装置とは独立して筐体内に配置されることになるので、その電子機器の厚さ寸法を含む形状寸法が大きくなり、このために全体の容積が大きくなって小型化を実現できなくなる懸念がある。また、入力装置を形成するための板ばね付きシートの組み込み作業とは別に、筐体内への電磁波吸収体の組み込み作業が必要になることから、電子機器の組立性が低下し、この電子機器の製作工数が増加し、製作費が高くなる懸念がある。
【０００６】
本発明は、上述した従来技術における実状からなされたもので、その目的は、電子機器に組み込んだ際の外部への電磁波の影響を低減できるとともに、その電子機器の厚さ寸法を含む形状寸法を小さくすることができ、また電子機器の組立性を向上させることができる板ばね付きシート、及び入力装置を提供することにある。
【課題を解決するための手段】
【０００７】
この目的を達成するために、本発明の板ばね付きシートは、可撓性シート状の電磁波吸収体と、板ばねを保持する可撓性絶縁シートとを粘着層を介して積層し一体化したことを特徴としている。
【０００８】
このように構成した本発明の板ばね付きシートは、電磁波吸収体を備えていることから、電子機器に組み込んだ際に、この電磁波吸収体によって電子機器から外部への電磁波の影響を低減できる。また、電磁波吸収体は可撓性シート状であることから、厚さ寸法が小さく、また長さ寸法も小さくすることが可能であり、これにより電子機器の厚さ寸法を含む形状寸法を小さくすることができる。また、この板ばね付きシートの電子機器への組み込み時に、同時に電磁波吸収体を電子機器内に組み込むことができ、この電子機器の組立性を向上させることができる。
【０００９】
また、本発明の板ばね付きシートは、上記発明において、上記板ばねに対向する上記電磁波吸収体の部分に凹部を設けたことを特徴としている。このように構成した本発明の板ばね付きシートは、板ばねの押圧操作に際しては、厚さが薄くなる凹部の部分を介して板ばねが押圧されるので、この板ばねの良好な操作感触を確保できる。
【００１０】
また、本発明の板ばね付きシートは、上記発明において、上記電磁波吸収体の上に、可撓性の光拡散性シートを積層して一体化するとともに、上記電磁波吸収体を含む全てのシートに照光部材の収容を可能にする収容部を設けたことを特徴としている。このように構成した本発明の板ばね付きシートは、照光部材からの光を光拡散性シートにより拡散させて、板ばねを押圧操作する操作部の良好な照光を実現できる。
【００１１】
また、本発明の板ばね付きシートは、上記発明において、上記板ばねに対向する上記光拡散性シートの部分、及び上記電磁波吸収体の部分のそれぞれに凹部を設けたことを特徴としている。このように構成した本発明の板ばね付きシートは、板ばねの押圧操作に際しては、厚さが薄くなる凹部の部分を介して板ばねが押圧されるので、この板ばねの良好な操作感触を確保できる。
【００１２】
また、本発明の板ばね付きシートは、上記発明において、上記可撓性絶縁シートに粘着層を設けるとともに、この粘着層に、上記可撓性絶縁シートからの剥離が可能な剥離シートを接着したことを特徴としている。このように構成した本発明の板ばね付きシートは、電子機器への実装に際しては、剥離シートを剥がすことにより、可撓性絶縁シートの粘着層が露出し、この粘着層を介して電子機器に簡単に取り付けることができる。
【００１３】
また、本発明の板ばね付きシートは、上記発明において、上記可撓性絶縁シートに、上記板ばねが収容される板ばね収容部を有するスペーサシートを積層して一体化したことを特徴としている。このように構成した本発明の板ばね付きシートは、スペーサシートにより、板ばねの周縁部におけるこの板ばねと可撓性絶縁シートとの貼り付きを防止でき、板ばねの良好な操作感触を確保できる。
【００１４】
また、本発明の板ばね付きシートは、上記発明において、上記スペーサシートに粘着層を設けるとともに、この粘着層に上記スペーサシートからの剥離が可能な剥離シートを接着したことを特徴としている。このように構成した本発明の板ばね付きシートは、電子機器への実装に際しては、剥離シートを剥がすことにより、スペーサシートの粘着層が露出し、この粘着層を介して電子機器に簡単に取り付けることができる。
【００１５】
また、本発明の板ばね付きシートは、上記発明において、電子機器に取り付けるための位置決め部材が挿通可能な取付孔を設けたことを特徴としている。このように構成した本発明の板ばね付きシートは、位置決め部材が取付孔に挿通されることにより電子機器に精度良く、しかも簡単に取り付けることができる。
【００１６】
また、上記目的を達成するために、本発明の入力装置は、スイッチ基板に、上述したいずれかの発明の板ばね付きシートを積層し、上記スイッチ基板に形成されるスイッチ部に上記板ばね付きシートの上記板ばねを配置させるようにして、これらのスイッチ基板と板ばね付きシートとを一体化したことを特徴としている。
【００１７】
このように構成した本発明の入力装置は、板ばね付きシートが電磁波吸収体を備えていることから、携帯電話等の電子機器に組み込んだ際に、電磁波吸収体によって、携帯電話等の電子機器から外部への電磁波の影響を低減できる。また、上述の電磁波吸収体は可撓性シート状であることから厚さ寸法が小さく、また長さ寸法も小さくすることが可能であり、これによって組み込まれる携帯電話等の電子機器の厚さ寸法を含む形状寸法を小さくすることができる。また、携帯電話等の電子機器への組み込み時に、同時に電磁波吸収体をその電子機器内に組み込むことができ、この電子機器の組立性を向上させることができる。
【発明の効果】
【００１８】
本発明の板ばね付きシート、及び入力装置は、可撓性シート状の電磁波吸収体を積層させるようにしたことから、携帯電話等の電子機器に組み込んだ際の電子機器から外部への電磁波の影響を低減できる。また特に、組み込まれる電子機器の厚さ寸法を含む形状寸法を小さくすることができ、従来では困難であった電磁波吸収機能を有する電子機器の小型化を実現できる。さらに、携帯電話等の電子機器への入力装置の組み込み時に、同時に電子機器内に組み込むことができ、携帯電話等の電子機器の組立性が向上し、この電子機器の製作工数を少なくすることができ、製作費を安く抑えることができる。
【発明を実施するための最良の形態】
【００１９】
以下，本発明に係る板ばね付きシート、及び入力装置を実施するための最良の形態を図に基づいて説明する。
【００２０】
［板ばね付きシートの第１実施形態の構成］
本発明に係る接点付きシートの第１実施形態を示す平面図、図２は図１のＡ−Ａ断面拡大図である。
【００２１】
この第１実施形態の板ばね付きシート、及び後述する第２〜第４実施形態の板ばね付きシートは、例えば接点付きシートから成っている。
【００２２】
この接点付きシートは、図２に示すように、金属ガラス粉末が混入されている可撓性シート状の電磁波吸収体１と、この電磁波吸収体１の下面の粘着層１ａに接着される可撓性絶縁シート２、すなわち、金属製のドーム状の板ばねである可動接点６を保持する可撓性絶縁シート２とを備えている。電磁波吸収体１の上面には粘着層３ａを介して光拡散性シート３が接着されている。また、可撓性絶縁シート２の下面には、可動接点６が収容される板ばね収容部を形成する接点収容部４ｄを有するスペーサシート４が接着されている。このスペーサシート４は、上述した接点収容部４ｄの他に、この接点収容部４ｄに連通され、可動接点６の押圧操作に伴うスペーサシート４内での空気移動を可能にする空気溝４ｅを有している。スペーサシート４の下面には、粘着層４ａを介してこのスペーサシート４に対して剥離可能に積層される剥離シート５を接着してある。
【００２３】
すなわち、この板ばね付きシートの第１実施形態は、光拡散性シート３と、電磁波吸収体１と、可撓性絶縁シート２と、スペーサシート４と、剥離シート５とを積層して一体化したものから成っている。
【００２４】
光拡散性シート３、電磁波吸収体１、可撓性絶縁シート２、及びスペーサシート４のそれぞれには、図１，２に示すように、照光部材、例えばＬＥＤ（発光ダイオード）の収容を可能にする収容部３ｂ，１ｂ，２ｂ．４ｂを形成してある。なお、図２に示すように、収容孔３ｂ，１ｂは、収容孔２ｂ，４ｂよりもひとまわり大きく形成されている。
【００２５】
また、光拡散性シート３、電磁波吸収体１、可撓性絶縁シート２、及びスペーサシート４のそれぞれを貫通するように、電子機器に取り付けるための図示しない位置決め部材が挿通可能な取付孔８を設けてある。
【００２６】
なお、図２に示すように、光拡散性シート３及び電磁波吸収体１のそれぞれの端面３ｃ，１ｃは、互いに一致するように形成してあり、可撓性絶縁シート２及びスペーサシート４の端面２ｃ，４ｃは、互いに一致するように形成してある。また、光拡散性シート３及び電磁波吸収体１の端面３ｃ，１ｃよりも可撓性絶縁シート２及びスペーサシート４の端面２ｃ，４ｃが突出するように、これらの光拡散性シート３、電磁波吸収体１、及び可撓性絶縁シート２、スペーサシート４を配置してある。
【００２７】
上述のように構成した第１実施形態に係る接点付きシートは、搬送等に際しては、図１，２に示すように、スペーサシート４に剥離シート５を接着させた状態で搬送等の処理がなされる。また、電子機器への実装に際しては、剥離シート５を剥がすことにより、スペーサシート４の粘着層４ａが露出し、この粘着層４ａを介して電磁波吸収体１を含むこの接点付きシートが、電子機器に取り付けられる。このように構成した第１実施形態に係る接点付きシートは、例えば以下に述べるように入力装置等に組み込まれて活用される。
【００２８】
［入力装置の第１実施形態の構成］
図３は本発明に係る入力装置の第１実施形態を示す平面図、図４は図１のＢ−Ｂ断面拡大図である。
【００２９】
図４に示すように、入力装置の第１実施形態は、中央固定接点９ａ及び周辺固定接点９ｂの組み合わせから成る複数の固定接点が形成されたスイッチ基板９と、上述した光拡散性シート３、電磁波吸収体１、可動接点６を保持する可撓性絶縁シート２、及び可動接点６が収容される接点収容部４ｄを有するスペーサシート４を含む接点付きシートとを備えている。また、可撓性絶縁シート２に保持された可動接点６のそれぞれと、スイッチ基板９に設けられる中央固定接点９ａ、及び周辺固定接点９ｂを含む固定接点のそれぞれとを対向させるようにして、これらのスイッチ基板９と接点付きシートとを一体化してある。可動接点６は、周辺固定接点９ｂに常時導通し、中央固定接点９ａに選択的に導通するようになっている。
【００３０】
また、スイッチ基板９には、上述した光拡散性シート３、電磁波吸収体１、可撓性絶縁シート２、スペーサシート４のそれぞれの収容部３ｂ，１ｂ，２ｂ．４ｂに収容される照光部材、例えばＬＥＤ７を配置してある。なお、可動接点６を押圧操作する操作部は、図示を省略してある。
【００３１】
このように構成される入力装置の第１実施形態では、図４に示す状態にあっては、接点付きシートの可動接点６がスイッチ基板９の中央固定接点９ａから離れていることから、中央固定接点９ａと周辺固定接点９ｂ間が遮断され、スイッチオフとなっている。この状態から図示しない操作部を下方へ押すと、操作部の押圧部が光拡散性シート３、電磁波吸収体１を介して可動接点６を押圧し、この可動接点６がタクティールフィーリングを伴って反転して中央固定接点１０ａに導通する。これによって、可動接点６を介して中央固定接点９ａと周辺固定接点９ｂとが導通し、スイッチオンとなる。
【００３２】
また、操作部の押圧操作による可動接点６の反転に伴う空気の移動が空気溝４ｅを介して行われ、これによって操作部の円滑な操作が可能になる。
【００３３】
また、ＬＥＤ７の光が光拡散性シート３によって拡散され、操作部を照光する。
【００３４】
［接点付きシート（板ばね付きシート）の第１実施形態の効果］
上述の図１，２に示すように構成した接点付きシートの第１実施形態によれば、電磁波吸収体１を備えていることから、携帯電話等の電子機器の入力装置として組み込んだ際に、この電磁波吸収体１によって電子機器から外部への電磁波の影響を低減できる。また、電磁波吸収体１は可撓性シート状であることから、厚さ寸法が小さく、また、長さ寸法も必要に応じて小さくすることができ、電子機器の小型化の実現に貢献する。また、この接点付きシートを含む入力装置の電子機器への組み付け時に、同時に電磁波吸収体１を電子機器内に組み込むことができ、この電子機器の組立性を向上させることができる。これにより、電子機器の製作工数を少なくすることができ、製作費を安くすることに貢献する。
【００３５】
また、光拡散性シート３を設けるとともに、電磁波吸収体１を含む全てのシートにＬＥＤ７の収容を可能にする収容部３ｂ，１ｂ．２ｂ，４ｂを設けたことから、ＬＥＤ７からの光を光拡散性シート３により拡散させて、図示しない操作部を照光させることができ、電子機器の使い勝手を良くすることができる。
【００３６】
また、接点収容部４ｄを有するスペーサシート４を設けたことから、このスペーサシート４により、可動接点６の周縁部におけるこの可動接点６と可撓性絶縁シート２との貼り付きを防止でき、可動接点６の良好な操作感触を確保でき、高い信頼性が得られる。
【００３７】
また、スペーサシート４からの剥離が可能な剥離シート５を設けたことから、電子機器への実装に際しては、剥離シート５を剥がすことによりスペーサシート４の粘着層４ａが露出し、この粘着層４ａを介して電子機器に簡単に取り付けることができ、電子機器の組立性の向上に貢献する。
【００３８】
また、電子機器に取り付けるための位置決め部材が挿通可能な取付孔８を設けたことから、位置決め部材を取付孔８に挿通させることにより電子機器に精度良く、しかも簡単に取り付けることができ、これによっても電子機器の組立性の向上に貢献する。
【００３９】
また、上述のように電磁波吸収体１の端面１ｃよりも可撓性絶縁シート２の端面２ｃが突出するように、これらの電磁波吸収体１、可撓性絶縁シート２を配置してあることから、電磁波吸収体１の粘着層１ａを形成する粘着剤の、可撓性絶縁シート２の外方へのはみ出しを防ぐことができる。また、ＬＥＤ７の収容孔３ｂ，１ｂは、収容孔２ｂ，４ｂよりもひとまわり大きく形成してあることから、電磁波吸収体１の粘着層１ａを形成する粘着剤の、収容孔２ｂ，４ｂ内へのはみ出しを防ぐことができ、ＬＥＤ７への付着を防止できる。
【００４０】
［入力装置の第１実施形態の効果］
上述した図３，４に示すように構成した入力装置の第１実施形態によれば、接点付きシートが電磁波吸収体１を備えていることから、携帯電話等の電子機器に組み込んだ際に、電磁波吸収体１によって、電子機器から外部への電磁波の影響を低減できる。また、電磁波吸収体１は可撓性シート状であることから厚さ寸法が小さく、また、必要に応じて長さ寸法も小さくすることが可能であり、これによって組み込まれる電子機器の厚さ寸法を含む形状寸法を小さくすることができる。また、電子機器への組み込み時に、同時に電磁波吸収体１を電子機器内に組み込むことができ、この電子機器の組立性を向上させることができる。
【００４１】
［板ばね付きシートの第２実施形態］
図５は本発明に係る接点付きシートの第２実施形態を示す平面図、図６は図５のＣ−Ｃ断面拡大図である。
【００４２】
これらの図５，６に示す板ばね付きシートの第２実施形態は、特に、板ばね、すなわち可動接点６に対向する光拡散性シート３の部分、及び電磁波吸収体１の部分に凹部３ｄ，１ｄをそれぞれ形成した構成にしてある。その他の構成は、上述した板ばね付きシートの第１実施形態に係る構成と同じである。
【００４３】
このように構成した板ばね付きシートの第２実施形態も、光拡散性シート３、電磁波吸収体１、可撓性絶縁シート２、スペーサシート４、及び剥離シート５を積層して一体化したことから、上述した板ばね付きシートの第１実施形態と同等の作用効果が得られる。特に、この板ばね付きシートの第２実施形態では、可動接点６に対向する光拡散性シート３の部分、及び電磁波吸収体１の部分に凹部３ｄ，１ｄをそれぞれ形成してあることから、可動接点６の押圧操作に際しては、厚さが薄くなる凹部３ｄ，１ｄの部分を介して可動接点６が押圧されるので、この可動接点６の良好な操作感触を確保でき、信頼性の高い入力装置の実現に貢献する。
【００４４】
［板ばね付きシートの第３実施形態］
図７は本発明に係る接点付きシートの第３実施形態を示す平面図、図８は図７のＤ−Ｄ断面拡大図である。
【００４５】
これらの図７，８に示す板ばね付きシートの第３実施形態は、板ばね付きシートの第１実施形態の構成からスペーサシート４を除き、可撓性絶縁シート２の下面の粘着層２ａに、この可撓性絶縁シート２からの剥離が可能な剥離シート５を接着した構成にしてある。その他の構成は、上述した板ばね付きシートの第１実施形態に係る構成と同等である。
【００４６】
このように構成した板ばね付きシートの第３実施形態も、光拡散性シート３、電磁波吸収体１、及び可動接点６を保持する可撓性絶縁シート２を備えていることから、板ばね付きシートの第１実施形態における作用効果からスペーサシート４に係る作用効果を除いたのと同等の作用効果が得られる。特に、この板ばね付きシートの第３実施形態では、電子機器への実装に際しては、剥離シート５を剥がすことにより、可撓性絶縁シート２の粘着層２ａが露出し、この粘着層２ａを介して電子機器に簡単に取り付けることができ、電子機器の組立性の向上に貢献する。
【００４７】
［入力装置の第２実施形態］
図９は本発明に係る入力装置の第２実施形態を示す要部拡大断面図である。
【００４８】
この図９に示す入力装置の第２実施形態は、ＬＥＤ７を有するスイッチ基板９上に、上述した図７，８に示す第３実施形態に係る接点付きシートを設けたものである。すなわち、上述した図３，４に示した入力装置の第１実施形態の構成からスペーサシート４を除き、可撓性絶縁シート２の下面の粘着層２ａをスイッチ基板９に接着した構成にしてある。その他の構成は、上述した入力装置の第１実施形態に係る構成と同等である。
【００４９】
このように構成した入力装置の第２実施形態も、光拡散性シート３、電磁波吸収体１、及び可動接点６を保持する可撓性絶縁シート２を備えていることから、入力装置の第１実施形態における作用効果からスペーサシート４に係る作用効果を除いたのと同等の作用効果が得られる。
【００５０】
［板ばね付きシートの第４実施形態］
図１０は本発明に係る接点付きシートの第４実施形態を示す要部拡大断面図である。
【００５１】
この板ばね付きシートの第４実施形態は、特に、板ばね、すなわち可動接点６に対向する光拡散性シート３の部分、及び電磁波吸収体１の部分に凹部３ｄ，１ｄをそれぞれ形成した構成にしてある。その他の構成は、上述した板ばね付きシートの第３実施形態に係る構成と同等である。
【００５２】
このように構成した板ばね付きシートの第４実施形態も、光拡散性シート３、電磁波吸収体１、可撓性絶縁シート２を積層して一体化してあることから、上述した板ばね付きシートの第３実施形態と同等の作用効果が得られる。特に、この板ばね付きシートの第４実施形態では、可動接点６に対向する光拡散性シート３の部分、及び電磁波吸収体１の部分に凹部３ｄ，１ｄをそれぞれ形成してあることから、可動接点６の押圧操作に際しては、厚さが薄くなる凹部３ｄ，１ｄの部分を介して可動接点６が押圧されるので、この可動接点６の良好な操作感触を確保でき、信頼性の高い入力装置の実現に貢献する。
【００５３】
［他の実施形態］
なお、上述した板ばね付きシート及び入力装置の各実施形態では、光拡散性シート３及びＬＥＤ７を備えた構成にしてあるが、本発明は、このような光拡散性シート３及びＬＥＤ７を除き、電磁波吸収体１を最上面に位置させた構成にしてもよい。このように構成する場合に、板ばね、例えば上述した可動接点６に対向する電磁波吸収体１の部分に凹部を設けてもよい。このような凹部を設けた構成にあっては、可動接点６の押圧操作に際しては、厚さが薄くなる電磁波吸収体１の上述の凹部の部分を介して可動接点６が押圧されるので、この可動接点６の良好な操作感触を確保でき、信頼性の高い入力装置の実現に貢献する。
【００５４】
また、上述した板ばね付きシート及び入力装置の各実施形態では、光拡散性シート３及びＬＥＤ７を備えた構成にしてあるが、このような構成に代えて、例えば照光機能を有するＥＬ（エレクトロルミネッセンス）素子から成るＥＬシートを設けた構成にしてもよい。さらに、このようなＥＬシートに代えて、文字や数字、あるいは絵や記号などを表示する表示機能を有するシートを設けた構成にしてもよい。
【００５５】
また、上述した板ばね付きシート及び入力装置の各実施形態では、可撓性絶縁シート２に保持される板ばねが可動接点６から成っているが、本発明は、板ばねをこのように可動接点６によって構成することには限定されない。例えば板ばねを、メンブレンスイッチを押圧可能なクリック用板ばね等によって構成してもよい。要するに、スイッチ基板９上に形成されるスイッチ部に板ばねを配置した構成であればよい。
【図面の簡単な説明】
【００５６】
【図１】本発明に係る接点付きシートの第１実施形態を示す平面図である。
【図２】図１のＡ−Ａ断面拡大図である。
【図３】本発明に係る入力装置の第１実施形態を示す平面図である。
【図４】図１のＢ−Ｂ断面拡大図である。
【図５】本発明に係る接点付きシートの第２実施形態を示す平面図である。
【図６】図５のＣ−Ｃ断面拡大図である。
【図７】本発明に係る接点付きシートの第３実施形態を示す平面図である。
【図８】図７のＤ−Ｄ断面拡大図である。
【図９】本発明に係る入力装置の第２実施形態を示す要部拡大断面図である。
【図１０】本発明に係る接点付きシートの第４実施形態を示す要部拡大断面図である。
【符号の説明】
【００５７】
１    電磁波吸収体
１ａ  粘着層
１ｂ  収容部
１ｃ  端面
１ｄ  凹部
２    可撓性絶縁シート
２ａ  粘着層
２ｂ  収容部
２ｃ  端面
３    光拡散性シート
３ａ  粘着層
３ｂ  収容部
３ｃ  端面
３ｄ  凹部
４    スペーサシート
４ａ  粘着層
４ｂ  収容部
４ｃ  端面
４ｄ  接点収容部（板ばね収容部）
４ｅ  空気溝
５    剥離シート
６    可動接点（板ばね）
７    ＬＥＤ（照光部材）
８    取付孔
９    スイッチ基板
９ａ  中央固定接点
９ｂ  周辺固定接点
【図１】
2007134082.tif 000003
【図２】
2007134082.tif 000004
【図３】
2007134082.tif 000005
【図４】
2007134082.tif 000006
【図５】
2007134082.tif 000007
【図６】
2007134082.tif 000008
【図７】
2007134082.tif 000009
【図８】
2007134082.tif 000010
【図９】
2007134082.tif 000011
【図１０】
2007134082.tif 000012